(57)【特許請求の範囲】
【請求項１】
第１側面と、
この第１側面と対向する第２側面と、
前記第１側面および前記第２側面に連接された第３側面および第４側面と、
前記第１側面および前記第２側面にそれぞれ連接されたサイドフラップと、
前記第３側面に連接された内蓋板と、
前記第４側面に連接された外蓋板と、
前記第１乃至第４側面の４つの側面の連接方向の一方の端部に延設され、他方の端部に糊付けして筒体に組み立てるための糊代面とを備え、
前記第１乃至第４側面の４つの側面のうちいずれか一つの側面には、破断線によって前記側面から切り離し可能に構成されており、外側の表面側に表示内容が印刷されている表示片が設けられており、
前記破断線は、第１破断線、第２破断線、第３破断線、および第４破断線から構成され、
前記表示片は、前記第３破断線、前記第２破断線、および前記第４破断線で囲まれた第１表示片と、前記第１破断線および前記第２破断線で囲まれた第２表示片と、から構成され、
前記第３破断線側から前記表示片を破断させると、前記第２破断線は破断することなく前記第３破断線、前記第１破断線、および前記第４破断線が破断されて、前記第１表示片および前記第２表示片とが一体で前記側面から切り離されるように構成され、
前記第４破断線側から前記表示片を破断させると、前記第１破断線は破断することなく前記第４破断線、前記第２破断線、および前記第３破断線が破断されて、前記第１表示片のみ前記側面から切り離されて前記第２表示片は前記側面から切り離されずに残るように構成されている
ことを特徴とする包装箱。
【請求項２】
請求項１に記載の包装箱において、
前記第１表示片は、余白部を有する
ことを特徴とする包装箱。
【請求項３】
請求項１に記載の包装箱において、
前記４つの側面のうち、前記糊代面が延設された端部とは連接方向の反対側の端部に前記表示片が形成された
ことを特徴とする包装箱。
【請求項４】
請求項３に記載の包装箱において、
前記糊代面は、前記表示片と重複する位置は糊付けされていない
ことを特徴とする包装箱。
【請求項５】
請求項３に記載の包装箱において、
前記糊代面は、前記表示片と重複する位置に前記表示片と同じ品名表示領域および余白部が印刷された
ことを特徴とする包装箱。
【請求項６】
請求項１に記載の包装箱において、
前記破断線は、前記第１破断線と前記第２破断線とが、破断方向が明示されている
ことを特徴とする包装箱。
【請求項７】
請求項１に記載の包装箱において、
前記表示片は、前記破断線から切り離す際に前記表示片を把持するための持ち手部を有することを特徴とする包装箱。
【発明の詳細な説明】
【技術分野】
【０００１】
本発明は、内容物に関する情報が印刷された表示片を備えた包装箱に関する。
【背景技術】
【０００２】
包装箱に印刷された文字の視認性を向上させて、作業効率の低下や誤認識によるミスを防ぐことのできる包装箱の一例として、特許文献１には、包装箱にミシン目を施した切り取り可能な両面印刷されたカードを備え、カードの表面には製品に関する詳細な情報を印刷し、カードの裏面には製品名のみを大きく印刷した包装箱が記載されている。この特許文献１では、カードの表面は詳細な情報を元に、適正な在庫管理や安全管理に活用しても良く、カードの裏面はネームプレートとして使用し、視認性を向上させるために活用しても良いことが記載されている。
【先行技術文献】
【特許文献】
【０００３】
【特許文献１】実用新案登録第３１８９９４２号
【発明の概要】
【発明が解決しようとする課題】
【０００４】
内容物に関する情報が印刷された表示片を備えた包装箱の一例として、医薬品を包装する包装箱がある。
【０００５】
商品がＰＴＰシートに入った医薬品の場合、病院等では、入荷した複数種類の医薬品を包装箱から取り出し、それぞれＰＴＰシートの状態で調剤棚に収納して保管されることが多い。そこで、ＰＴＰシートを包装箱に印刷された情報に対応づけて保管するため、包装箱の特定の部分（必要な情報が印刷されている部分）を切り取り、ＰＴＰシートに添付して保管したり、調剤棚に貼り付けて表示したりすることが行われている。
【０００６】
しかし、この特許文献１に記載のカードは、表裏に情報が記載されている。ここで、上述した病院等で使用される場合、複数の情報を調剤棚の異なる場所に別々に表示したいケースがある。しかし、特許文献１の包装箱はカードが１つであるため、２つ目の表示片を得るためには包装箱の他の部分をハサミで切り取ったりしなければならず、別途カードを準備する必要があり、手間が掛かるという問題があった。
【０００７】
別途カードを準備することを避けるために、この特許文献１に記載のカードにおいてカードを複数の表示片から構成することが考えられるが、カードを包装箱から切り離した後に表示片を更に切り放す作業が必要となり、手間が掛かることに変わりがないという問題があった。
【０００８】
本発明は、上記問題に鑑みて成されたものであり、手間をかけることなく、箱本体から容易に切り離すことができる表示片を複数有する包装箱を提供することを目的とする。
【課題を解決するための手段】
【０００９】
上記目的を達成するために、第１の発明は、第１側面と、この第１側面と対向する第２側面と、前記第１側面および前記第２側面に連接された第３側面および第４側面と、前記第１側面および前記第２側面にそれぞれ連接されたサイドフラップと、前記第３側面に連接された内蓋板と、前記第４側面に連接された外蓋板と、前記第１乃至第４側面の４つの側面の連接方向の一方の端部に延設され、他方の端部に糊付けして筒体に組み立てるための糊代面とを備え、前記第１乃至第４側面の４つの側面のうちいずれか一つの側面には、破断線によって前記側面から切り離し可能に構成されており、外側の表面側に表示内容が印刷されている表示片が設けられており、前記破断線は、第１破断線、第２破断線、第３破断線、および第４破断線から構成され、前記表示片は、前記第３破断線、前記第２破断線、および前記第４破断線で囲まれた第１表示片と、前記第１破断線および前記第２破断線で囲まれた第２表示片と、から構成され、前記第３破断線側から前記表示片を破断させると、前記第２破断線は破断することなく前記第３破断線、前記第１破断線、および前記第４破断線が破断されて、前記第１表示片および前記第２表示片とが一体で前記側面から切り離されるように構成され、前記第４破断線側から前記表示片を破断させると、前記第１破断線は破断することなく前記第４破断線、前記第２破断線、および前記第３破断線が破断されて、前記第１表示片のみ前記側面から切り離されて前記第２表示片は前記側面から切り離されずに残るように構成されていることを特徴とするものである。
【００１０】
かかる構成により、手間をかけることなく、包装箱から表示片を複数パターン容易に切断することができ、箱本体から容易に切離できる表示片を複数有する包装箱が得られる。
【００１１】
また、第２の発明は、第１の発明において、前記第１表示片は、余白部を有するものである。
【００１２】
かかる構成により、収容した医薬品を使用する現場に応じた当該医薬品に関する必要事項を記載することができる。
【００１３】
また、第３の発明は、第１の発明において、前記４つの側面のうち、前記糊代面が延設された端部とは連接方向の反対側の端部に前記表示片が形成されたものである。
【００１４】
かかる構成により、表示片を有する第１側面と糊代面とが糊付けされるため、表示片を切り離しても糊代面によって包装箱の強度がある程度担保され、表示片の切り離しがより容易になる。
【００１５】
また、第４の発明は、第３の発明において、前記糊代面は、前記表示片と重複する位置は糊付けされていないものである。
【００１６】
かかる構成により、より容易に表示片を包装箱から切り離すことができる。
【００１７】
また、第５の発明は、第３の発明において、前記糊代面は、前記表示片と重複する位置に前記表示片と同じ品名表示領域および余白部が印刷されたものである。
【００１８】
かかる構成により、表示片を切り離した後でも、表示片に表示されていた品名表示領域および余白部が包装箱側にも残るため、包装箱側に新たに品名を記載する必要がなくなり、より手間が掛からない包装箱とすることができるとともに、表示片切り離し後に包装箱側にも使用する現場に応じた当該医薬品に関する必要事項を記載することができる。
【００１９】
また、第６の発明は、第１の発明において、前記破断線は、前記第１破断線と前記第２破断線とが、破断方向が明示されているものである。
【００２０】
かかる構成により、迷うことなく所望の表示片を切り離すことができるようになり、更に容易な表示片の切り離しが可能となる。
【００２１】
また、第７の発明は、第１の発明において、前記表示片は、前記破断線から切り離す際に前記表示片を把持するための持ち手部を有するものである。
【００２２】
かかる構成により、包装箱から表示片を切り離す際に表示片を把持する部分ができるため、更に容易に表示片を包装箱から切り離すことができる。
【発明の効果】
【００２３】
本発明によれば、箱本体から容易に切離できる表示片を複数有する包装箱が得られる。
【図面の簡単な説明】
【００２４】
【図１】本発明の第１の実施形態の包装箱の展開図である。
【図２】本発明の第１の実施形態の包装箱における表示片の概略図である。
【図３】本発明の第１の実施形態の包装箱における第１表示片の概略図である。
【図４】本発明の第１の実施形態の包装箱における第２表示片の概略図である。
【図５】本発明の第２の実施形態の包装箱の展開図である。
【図６】本発明のその他の形態の包装箱の切り取り表示片部分の部分拡大図である。
【発明を実施するための形態】
【００２５】
以下に本発明の包装箱の実施形態を、図面を用いて説明する。
【００２６】
＜第１の実施形態＞  
本発明の包装箱の第１の実施形態を、図１乃至図４を用いて説明する。本実施形態では、典型的な箱型形状である長方形平面から構成される六面体の包装箱、包装箱が収容する内容物として医薬品を例に用いて説明する。
【００２７】
図１は本実施形態の包装箱の展開図である。図１において、包装箱１は、切り取り表示片付き包装箱であり、第１側面１２と、この第１側面１２と対向する第２側面１４と、第１側面１２および第２側面１４に連接された第３側面１６および第４側面１８と、第１側面１２および第２側面１４にそれぞれ連接されたサイドフラップ３０と、第３側面１６に連接された上内蓋板２４および下内蓋板２８と、第４側面１８に連接された上外蓋板２２および下外蓋板２６と、第４側面１８の第２側面１４と連接する方向とは他方の端部に延設され、第１側面の第３側面と連接する方向とは他方の端部に糊付けして筒体に組み立てるための糊代面２０とを備えている。
【００２８】
上外蓋板２２は、つまみ部４０と、開封破断線４４とを有している。つまみ部４０は、上外蓋板２２の下端中央部に設けられている。開封破断線４４は、つまみ部４０の右縁上端または左縁上端に連接して始まり、上外蓋板２２の右縁部または左縁部に達し、切断部分と止め部分が交互に繰り返すことにより形成されている。
【００２９】
上外蓋板２２上には、つまみ部４０の右縁と開封破断線４４と上外蓋板２２の右縁と上外蓋板２２の下端縁とに囲まれる領域およびつまみ部４０の左縁と開封破断線４４と上外蓋板２２の左縁と上外蓋板２２の下端縁とに囲まれる領域には、上外蓋板２２の下端縁部から下端縁に対し垂直に１本の不正開封防止破断線４６が設けられている。この不正開封防止破断線４６は、切断部分と止め部分が交互に繰り返すことにより形成される直線であり、その開始部は切断部分である。また、この不正開封防止破断線４６は、下外蓋板２６の下端縁部から下端縁に対し垂直に３本設けられている。なお、不正開封防止破断線４６の本数は限定されず、必要に応じた数設ければよい。
【００３０】
上内蓋板２４の中央部には、一旦開封した後につまみ部４０を差し込むことで再び封止するための差込口４２が設けられている。
【００３１】
第３側面１６において、下内蓋板２８の折罫線が設けられている側の端部には解体用破断線４８が重ねて設けられており、解体用破断線４８の中心は、第３側面１６へ半円状に膨出している。
【００３２】
次に本実施形態の包装箱に設けられた表示片の構造について図１乃至図４を参照して説明する。図２は本実施形態の包装箱における表示片の概略図、図３は本実施形態の包装箱における第１表示片の概略図、図４は本実施形態の包装箱における第２表示片の概略図である。
【００３３】
図１および図２に示すように、第１側面１２、第２側面１４、第３側面１６、第４側面１８の４つの側面のうち、糊代面２０に延設された端部とは連接方向の反対側の端部である第１側面１２には、破断線６０によって囲まれた表示片５０が形成されている。
【００３４】
この表示片５０は、図２に示すように、第１表示片５２および第２表示片５４から構成されている。第１表示片５２と第２表示片５４とは、後述する第２破断線６４により、互いに切り離し可能になっている。
【００３５】
第１表示片５２は、品名表示領域５６、余白部５８およびＧＳ１コード５７が付記されている。品名表示領域５６は、収容する医薬品の名前などが記載されている領域である。また、余白部５８は、現場に応じて当該包装箱１が収容する医薬品に関する必要事項（例、患者への注意喚起事項、医薬品の次回納品日、購入日、薬剤残数等）を記載するための領域である。さらに、ＧＳ１コード５７は、製品名（商品コード）等の情報の他、使用期限や製造番号等の情報が組み込まれているため、現場の製品管理者等が当該情報を対応機器に読み込ませることにより情報を簡単に確認することができる。
【００３６】
第２表示片５４は、使用期限や製造番号などが記載されている。
【００３７】
表示片５０または第１表示片５２を第１側面１２から切り離すための破断線６０は、４つの破断線（第１破断線６２、第２破断線６４、第３破断線６６および第４破断線６８）から構成されている。これら第１破断線６２、第２破断線６４、第３破断線６６および第４破断線６８は、切断部分と止め部分とが交互に繰り返すことにより形成されている。
【００３８】
このうち、第１破断線６２は、図２中表示片５０左側部の第３破断線６６を介して表示片５０を破断させる場合に、第２破断線６４が破断されずに、第３破断線６６、第１破断線６２、第４破断線６８で破断されて、図２に示すような第１表示片５２および第２表示片５４とが一体で第１側面１２から切り離されるよう形成されている。
【００３９】
また、第１破断線６２は、表示片５０が第４破断線６８側から切断されようとした場合であっても、表示片５０が第１破断線６２に沿って切り離されないように形成されている。より具体的には、第１破断線６２は、第４破断線６８側から表示片５０が切断されようとした場合に第１破断線６２側へと破断が進行したとしても、既に切断された切断部分からその先の切断部分へと破断が進行するのではなく、第１側面１２側もしくは第２表示片５４側へと破断の進行方向が逸れていき、第１破断線６２に沿った第２表示片５４の切り離しが阻害されるように各々の切断部分の端部が折れ曲がって形成されている。
【００４０】
第２破断線６４は、図２中表示片５０右側部の第４破断線６８を介して第１表示片５２を破断させる場合に、第１破断線６２が破断されずに、第４破断線６８、第２破断線６４、第３破断線６６で破断されて、図３に示すような第１表示片５２のみ第１側面１２から切り離されて図４に示すような第２表示片５４が第１側面１２から切り離されずに第１側面１２側に残るよう形成されている。
【００４１】
また、第２破断線６４は、第１表示片５２が第３破断線６６側から切断されようとした場合であっても、第１表示片５２が第２破断線６４に沿って切り離されないように形成されている。より具体的には、第２破断線６４は、第３破断線６６側から第１表示片５２が切断されようとした場合に第２破断線６４側へと破断が進行したとしても、既に切断された切断部分からその先の切断部分へと破断が進行するのではなく、第１表示片５２側へと破断の進行方向が逸れていき、第２破断線６４に沿った第１表示片５２の切り離しが阻害されるように各々の切断部分の端部が折れ曲がって形成されている。
【００４２】
残りの第３破断線６６、第４破断線６８は、何れの方向からも切り離し可能に切断部分と止め部分とが構成されている。
【００４３】
また、第３破断線６６と第１破断線６２の一部とは直線となっている。これにより、第１破断線６２側から表示片５０の切り離しが容易となる。
【００４４】
図１に戻り、糊代面２０の包装箱１の組立状態で第１側面１２側の端部の裏面に糊付けされた際に表示片５０と重複する位置には、表示片５０と同じように、品名表示領域５６Ａ、余白部５８ＡおよびＧＳ１コード５７Ａが印刷されている。このうち、品名表示領域５６Ａおよび余白部５８Ａは、表示片５０側の品名表示領域５６および余白部５８と同じ内容である。ＧＳ１コード５７Ａは、ＧＳ１コード５７と異なり、使用期限や製造番号等の情報は組み込まれず、製品名（商品コード）等の情報が組み込まれている。
【００４５】
また、糊代面２０には糊代２０Ａが設けられている。この糊代２０Ａは、表示片５０が容易に切り離されるよう、第１側面１２の表示片５０と重複する位置には形成されていない。
【００４６】
次に、包装箱１の組み立て方法について説明する。
【００４７】
まず、第１側面１２と第３側面１６との境である折曲線、第３側面１６と第２側面１４との境である折曲線、第２側面１４と第４側面１８との境である折曲線、第４側面１８と糊代面２０との境である折曲線でそれぞれ９０度に折り曲げる。
【００４８】
その後、糊代面２０の糊代２０Ａを第１側面１２の裏面に糊着して胴部を組み立てる。
【００４９】
その後、図１中左側に位置するサイドフラップ３０をそれぞれ胴部が形成する開口部の内側に向かって折り曲げ、次いで上内蓋板２４を胴部が形成する開口部の内側に向かって折り曲げ、その上に上外蓋板２２を胴部が形成する開口部の内側に向かって折り曲げ、上外蓋板２２のつまみ部４０の右縁と開封破断線４４と上外蓋板２２の右縁と上外蓋板２２の下端縁とに囲まれる領域および上外蓋板２２のつまみ部４０の左縁と開封破断線４４と上外蓋板２２の左縁と上外蓋板２２の下端縁とに囲まれる領域の裏面の所定領域に糊を塗布した後、上外蓋板２２を上内蓋板２４の表面上に糊着し、開口部を閉封する。
【００５０】
また、図１中右側に位置するサイドフラップ３０をそれぞれ胴部が形成する開口部の内側に向かって折り曲げ、次いで下内蓋板２８、下外蓋板２６の順に胴部が形成する開口部の内側に向かって折り曲げ、下外蓋板２６の裏面の所定領域に糊を塗布した後、下外蓋板２６を下内蓋板２８の表面上に糊着し、開口部を閉封し、包装箱１が組み立てられる。
【００５１】
〜動作〜
このように構成された本実施形態の表示片５０の切り離し動作について以下説明する。
【００５２】
まず、図２に示すような第１破断線６２を用いて切り離された第１表示片５２および第２表示片５４から構成される表示片５０は、品名表示領域５６を有しており、薬品棚のラベル、ネームプレートとして使用できる。
【００５３】
また、図２に示す表示片５０をさらに第２破断線６４を用いて切り離すと、図４に示すような第２表示片５４と図３に示すような第１表示片５２とが別々に分離することができる。この場合、図３に示す第１表示片５２は薬品棚のラベル、ネームプレートとして使用し、さらにＧＳ１コード５７が付記されているので、製品名（商品コード）等の情報の他、使用期限や製造番号等の情報をバーコードリーダーにて簡単に確認することができる。図４に示すような使用期限・製造番号が記載された第２表示片５４をＰＴＰシートと共に管理することができるようになる。
【００５４】
これに対し、第２破断線６４を用いて切り離された第１表示片５２は、薬品棚のネームプレートとして使用でき、さらにＧＳ１コード５７が付記されているので、製品名（商品コード）等の情報の他、使用期限や製造番号等の情報を簡単に確認することができる。そして使用期限・製造番号が記載された第２表示片５４は第１側面１２側に残り、包装箱側で使用期限・製造番号を管理することができるとともに、不要な表示片が発生することを防ぐようになっている。
【００５５】
上述した本発明の包装箱の第１の実施形態では、表示片５０が、第１表示片５２および第２表示片５４から構成され、破断線６０が、２以上の破断線（第１破断線６２、第２破断線６４）から構成され、第１破断線６２を用いて破断させると第１表示片５２および第２表示片５４とが一体で第１側面１２から切り離され、第２破断線６４を用いて破断させると第１表示片５２のみ第１側面１２から切り離されて第２表示片５４は第１側面１２から切り離されずに残る。
【００５６】
これにより、薬品棚のラベル、ネームプレートとして使用したい場合は、第１破断線６２を用いて表示片５０を切り離し、薬品棚のネームプレートとして使用するとともに包装箱側で使用期限・製造番号を管理したい場合は、第２破断線６４を破断させ、更には、薬品棚のラベル、ネームプレートとして使用するとともに使用期限・製造番号をＰＴＰシートと共に管理したい場合は、第１破断線６２および第２破断線６４を用いて第１表示片５２と第２表示片５４とを切り離すことで、手間をかけることなく、包装箱から表示片を複数パターン容易に切断することができ、箱本体から容易に切離できる表示片を複数有する包装箱が得られる。
【００５７】
また、第１表示片５２が余白部５８を有していることにより、収容した医薬品を使用する現場に応じた当該医薬品に関する必要事項を記載することができる。例えば、患者への注意喚起事項を記載したり、当該医薬品の次回納品日などを記載したり、使用している状況に応じた事項を適宜記載することが可能となる。
【００５８】
更に、糊代面２０が連接された端部とは連接方向の反対側の端部である第１側面１２に表示片５０が形成されていることで、表示片５０を有する第１側面１２と糊代面２０とが糊付けされており、表示片５０を切り離しても糊代面２０によって包装箱１の強度がある程度担保され、表示片５０の切り離しがより容易になる。
【００５９】
また、糊代面２０は、表示片５０と重複する位置は糊付けされていないことで、より容易に表示片５０を包装箱１から切り離すことができる。
【００６０】
更に、糊代面２０の表示片５０と重複する位置に表示片５０と同じ品名表示領域５６および余白部５８が印刷されていることにより、表示片５０を切り離した後でも、品名表示領域５６Ａおよび余白部５８Ａが包装箱１側にも残るため、包装箱１側に新たに品名を記載する必要がなくなり、より手間が掛からない包装箱とすることができるとともに、表示片５０の切り離し後に包装箱１側にも使用する現場に応じた当該医薬品に関する必要事項を記載することができる領域が形成される。
【００６１】
また、破断線６０は、第１破断線６２と第２破断線６４とが、破断方向が明示されていることにより、所望の表示片を切り離す際に、迷うことなく所望の表示片を切り離すことができるようになり、更に容易な表示片の切り離しが可能となる。
【００６２】
＜第２の実施形態＞  
本発明の包装箱の第２の実施形態を図５を用いて説明する。
【００６３】
図５は本実施形態の包装箱の展開図である。第１の実施形態に係る包装箱１は、第１側面１２に表示片５０を有していたが、図５に示すように、本発明の第２の実施形態に係る包装箱２は、第１側面１２に破断線６０によって囲まれた表示片７０を有している。表示片７０以外の構成は、第１の実施形態の包装箱と略同じであり、詳細は省略する。
【００６４】
表示片７０は、図５に示すように、第１表示片７２および第２表示片７４から構成されている。このうち、第１表示片７２には、破断線６０から切り離す際に表示片７０を把持するための持ち手部７６が形成されている。折曲線７８を折り曲げることによって表示片７０もしくは第１表示片７２に対して垂直方向に持ち手部７６部分を折り曲げることができるようになっている。これにより、持ち手部７６を把持することで破断線６０から切り離す際に表示片７０若しくは第１表示片７２を切り離すことができる。
【００６５】
本発明の包装箱の第２の実施形態においても、前述した包装箱の第１の実施形態とほぼ同様な効果が得られる。
【００６６】
また、持ち手部７６を有することにより、包装箱から表示片を切り離す際に表示片を把持する部分ができるため、更に容易に表示片を包装箱から切り離すことができるようになる。
【００６７】
＜その他＞  
なお、本発明は、上記の実施形態に限定されるものではなく、様々な変形例が含まれる。上記の実施形態は本発明を分かりやすく説明するために詳細に説明したものであり、必ずしも説明した全ての構成を備えるものに限定されるものではない。また、ある実施形態の構成の一部を他の実施形態の構成に置き換えることも可能であり、また、ある実施形態の構成に他の実施形態の構成を加えることも可能である。また、各実施形態の構成の一部について、他の構成の追加・削除・置換をすることも可能である。
【００６８】
例えば、図６に示すように、第１破断線８６および第２破断線８８の２本の破断線から構成される破断線８０に囲まれた第１表示片８２および第２表示片８４からなる表示片とすることができる。
【００６９】
また、破断線６０のうち、第１破断線６２と第２破断線６４との破断方向は、矢印、色分け等の方法により破断方向が視覚化されていてもよい。
【００７０】
更に、包装箱において、第１表示片、第２表示片に印刷される内容は自由に変更することができる。例えば、第１表示片に製造番号などを印刷し、第２表示片に注意喚起の文言や余白等を印刷するようにしてもよい。
【００７１】
また、上記実施形態では、第１表示片や第２表示片はそれぞれ１つの表示片から構成された例について説明したが、これら第１表示片や第２表示片自体が複数の表示片から構成されたものであってもよい。この場合、第１表示片や第２表示片に複数の破断線を設け、必要に応じて第１表示片や第２表示片以外に１つ以上の表示片が得られるようにしてもよい。
【００７２】
更に、各部材の形状等自由に変更可能である。また、第１表示片や第２表示片の印刷は両面印刷でもよく、両面印刷することにより多くの情報を印刷することができる。
【００７３】
また、上記実施形態では、第１側面に表示片を設ける場合について説明したが、表示片は第１側面以外の第２側面、第３側面、第４側面のいずれかの側面のうちいずれか一つの側面に設けられていればよい。そして、組み立てた状態で４つの側面の中であれば、表示片が配される位置、形状、大きさ等は自由である。
【００７４】
更に、上記実施形態では、第１側面と糊代面とが糊付けされる場合について説明したが、糊代面と糊付けされる側面は第１側面に限られず、第２側面、第３側面、第４側面のいずれかの側面とすることができる。
【００７５】
また、上記実施形態では、第１側面、第２側面、第３側面、第４側面により形成される１対の開口部に対し、一方のみにつまみ部や差込口、開封破断線を設ける構成としたが、両方の開口部を同様に開口可能な構成としてもよい。
【００７６】
更に、上記実施形態では、包装箱は典型的な箱型形状である長方形平面から構成される六面体を例示したが、多角形からなる上板、下板と長方形からなる側板とで構成される立体でもよい。
【符号の説明】
【００７７】
１，２…包装箱、
１２…第１側面、
１４…第２側面、
１６…第３側面、
１８…第４側面、
２０…糊代面、
２０Ａ…糊代、
２２…上外蓋板、
２４…上内蓋板、
２６…下外蓋板、
２８…下内蓋板、
３０…サイドフラップ、
４０…つまみ部、
４２…差込口、
４４…開封破断線、
４６…不正開封防止破断線、
４８…解体用破断線、
５０，７０，…表示片、
５２，７２，８２…第１表示片、
５４、７４，８４…第２表示片、
５６，５６Ａ…品名表示領域、
５７，５７Ａ…ＧＳ１コード、
５８，５８Ａ…余白部、
６０…破断線、
６２，８６…第１破断線、
６４，８８…第２破断線、
６６…第３破断線、
６８…第４破断線、
７６…持ち手部、
７８…折曲線。
【図１】
0006752501.tif 000002
【図２】
0006752501.tif 000003
【図３】
0006752501.tif 000004
【図４】
0006752501.tif 000005
【図５】
0006752501.tif 000006
【図６】
0006752501.tif 000007